(57)【要約】【課題】プロジェクタ装置において、今後より大きな画像が求められ、光源としてのランプが大出力化されるなかで、更に高温化する装置を冷却するために騒音を出さない冷却方法が求められている。【解決手段】本発明のプロジェクタ装置は、光源としてのランプと、そのランプからの光によって投影光を出力し像を作る光学式エンジンで構成する投影光出力手段と、前記ランプや前記光学式エンジンからの発熱を冷却する冷却風供給手段と、それら投影光出力手段と冷却風供給手段の間に連結されて、冷却風供給手段から投影光出力手段に冷却風を送るための通風手段とから構成する。冷却風供給手段は視聴者から遠ざけて隔離した位置に設置し、視聴室内において冷却送風ファンモータの騒音を遮断する。【選択図】      図１
2005164767.tif 000002
【特許請求の範囲】
【請求項１】
光源としてのランプと、そのランプからの光によって投影光を出力し映像を作る光学式エンジンを備えた投影光出力手段と、前記ランプと前記光学エンジンからの発熱を冷却するための冷却風供給手段と、それら投影光出力手段と冷却風供給手段を連結し、冷却風供給手段から投影光出力手段に冷却風を送るための通風手段とからなる本発明のプロジェクタ装置。
【請求項２】
冷却風供給手段が、送風用ファンモータと排気用ファンモータとを備えたことを特徴とする請求項１に記載のプロジェクタ装置。
【請求項３】
投影光出力手段は、その内部に温度を検出する温度検出手段が備えられ、その温度検出手段で検出された温度と予め設定されたしたしきい値との比較に基づき、投影光出力手段から冷却風供給手段への電力供給を入り切りする送風制御手段とを備えられていることを特徴とした請求項１及び２に記載のプロジェクタ装置。
【発明の詳細な説明】
【技術分野】
【０００１】
本発明は、光源としてのランプの発光とそのランプの光によって投影光を出力し映像を作る光学式エンジンの発熱を冷却するために冷却送風ファンモータを備えたプロジェクタ装置において、前記冷却送風ファンモータの動作音を低く抑えることを目的としたプロジェクタ装置に関する。
【背景技術】
【０００２】
近年、表示画面の大型化要求に伴い投射画像をスクリーンに大きく映し出すプロジェクタ装置が出て来ている。プロジェクタ装置は、光源としてのランプ、及びそのランプの光によって光学式エンジンが投影光を出力し像を作り出すが、その動作の際に前記ランプ及び前記光学式エンジンが発熱する。
【０００３】
ランプや光学式エンジンは一定温度以上に上昇すると、ランプの破損や光学式エンジンの高熱による動作変化等の問題が発生する。このためプロジェクタ装置は装置内部を一定温度以下に抑える必要がある。そこで冷却送風ファンモータが備えられている。
プロジェクタ装置では、冷却送風ファンモータの動作音が視聴者にとって騒音として不快に感じられる。特に、今日では、ホームシアターとしてプロジェクタ装置が使用され映像と共に音声を楽しまれており、冷却送風ファンモータによる騒音の問題はより一層深刻であった。
【０００４】
プロジェクタ装置として冷却送風ファンモータの騒音を抑える技術としては、例えば特開２００３‐５２８９は、プロジェクタ装置の設置場所での環境温度を検出し、吸気用ファンモータと排気用ファンモータを最適な回転数で駆動させる発明である。しかしこの発明では、プロジェクタ装置の冷却に必要な冷却送風ファンモータが動作の際に発生する騒音は抑えることはできない。
【０００５】
また、特開平１０−２３８２９２では、プロジェクタ装置の排気口に排気方向調整ダクトを設け、排気口を視聴者に向かせないようにすることで、排気音を視聴者に聞こえ難くするものであるが、発熱量の大きな高出力プロジェクタ装置では冷却送風ファンモータの動作音も大きくなり、その場合十分な効果が期待できない。
【０００６】
【特許文献１】特開２００３‐５２８９
【０００７】
【特許文献２】特開平１０−２３８２９２
【発明の開示】
【発明が解決しようとする課題】
【０００８】
今後、プロジェクタ装置はより大きな画像が求められ、それに伴って装置そのものが大型化の傾向にある。従って、ここで使用される光源としてのランプも大出力化され発熱も大きくなる。そこで、冷却送風ファンモータの出力も大きくする必要がある。しかし、冷却送風ファンモータの出力を大きくするとそれに対応して騒音も大きくなる。
【０００９】
これまでは冷却送風ファンモータの出力を大きくするため、冷却送風ファンモータの大型化や回転数を上げて送風量を増すことや、冷却送風ファンモータの数を増やしてそれぞれ冷却対象物を局所的に冷却するといった対応が一般的であった。
その結果、対応によって冷却送風ファンモータの騒音が増大しないようにするため、細やかな温度制御を行い冷却送風ファンモータの動作をコントロールする必要があった。冷却送風ファンモータの出力を上げ細やかな温度制御を行うことは、プロジェクタ装置の小型化及び低価格化の弊害となっている。
【課題を解決するための手段】
【００１０】
本発明のプロジェクタ装置は、光源としてのランプと、そのランプからの光によって投影光を出力し像を作る光学式エンジンで構成する投影光出力手段と、前記ランプや前記光学式エンジンからの発熱を冷却する冷却風供給手段と、それら投影光出力手段と冷却風供給手段の間に連結されて、冷却風供給手段から投影光出力手段に冷却風を送るための通風手段とから構成する。
【００１１】
冷却風供給手段は、吸気用送風ファンモータと排気用送風ファンモータとを備えて冷却風の供給を行い、投影光出力手段は内部に温度センサを備え、投影光出力手段内部の温度を検出する温度検出手段と、前記温度検出手段が検出した温度とあらかじめ設定したしきい値とを比較して、投影光出力手段から冷却風供給手段への電力供給を入り切りする送風制御手段とを備えることを特徴とする。
【発明の効果】
【００１２】
本発明のプロジェクタ装置は、プロジェクタ装置本体である投影光出力手段から騒音を発する冷却送風ファンモータを分離し、冷却風供給手段として視聴室外に設置できるので視聴者より騒音を完全に遮断することが可能である。
しかも、冷却送風ファンモータの騒音を遮断することにより、これまで騒音を抑えるために必要であった冷却送風用ファンモータの複雑な温度制御を不要とすることで、制御回路の簡素化ができその分コストの削減が可能である。
さらに、投影光出力手段と冷却風供給手段とを分離することにより、視聴室内に設置する投影光出力手段の小型化が図れる。
【発明を実施するための最良の形態】
【００１３】
本発明のプロジェクタ装置１を、固定金具によって視聴室の天井に常設する一形態について説明する。
図１は、プロジェクタ装置１の全体構成を示す斜視図である。
プロジェクタ装置１は、投影光出力手段２を取付け金具によって視聴室の天井に常設する。投影光出力手段２を固定した天井裏に冷却風供給手段３を設置する。通風手段４は自由に方向を変えられる蛇腹式ホース二本を使用して冷却風供給手段３と投影光出力手段２を接続し送風と排気を行う。
冷却風供給手段３の送風と排気用ファンモータへの電力は投影光出力手段２から電力供給用配線５によって供給される。
【００１４】
図２は、プロジェクタ装置１の投影光出力手段２の内部の構造を説明する一部切り欠きを含む斜視図である。
投影光出力手段２は、画像を投射するため光源となるランプ６を発光し、そのランプ６からの光を分光器７で分光し、分光器７を介して入力された光を所望の投影光として出力するよう作用する光学式エンジン８と光学レンズ９を通じて出力される。
【００１５】
光源であるランプ６とその光によって投影光を出力し映像を作る光学式エンジン８は発熱し高温になる。そのため、投影光出力手段２内部を冷却風が効率良く循環するように、投影光出力手段筐体１１の背面に送風口１２と排気口１３を備え、送風口から供給された冷却風をランプ６に案内するガイド板１４と、光学式エンジン８に案内するガイド板１５と、冷却の結果、暖められた空気を冷却風と合流を防ぎ排出口に案内するガイド板１６を備える。
【００１６】
冷却風の送風は、ランプ６の冷却風通過経路後段に位置する温度センサ１０がランプ６を通過した後の冷却風温度を検出し、その検出された温度とが予め設定されたしきい値との比較に基づき、送風制御手段によって投影出力手段２から冷却風供給手段３への電力供給を入り切りする。
【００１７】
図３は、本発明の冷却風供給手段３の構造を説明する分解図である。
図４は、図３で示す本発明の冷却風供給手段３の構造を説明する断面図である。
【００１８】
冷却風供給手段３は、角筒状の形状を成す筐体１７の一側面に備えた二つの穴に通風手段４を接続するためのジョイント１８を備え、その角筒状の両端には、それぞれ向きを変えて装着することで吸気用と排気用として働く冷却送風ファンモータ１９を備え、円筒状で且つ二つの開口部が冷却送風ファンモータ１９とジョイント１８に嵌合するよう形成されたL字型ダクト２０により接続され送風経路を確保する。
さらに、吸気側には冷却送風ファンモータ１９の前面に、防塵フィルタ２１を設置しカバー２２を装着する。排気側は防塵フィルタ２１の取付けが不要なことを除いて、吸気側と同一構造となる。
【００１９】
通風手段４には冷却風供給手段３から投影光出力手段２へ冷却風を送風するため、送風用と排気用に方向を自由に変えることが可能な二本の蛇腹形式ホースを使用し、一端を冷却風供給手段３に備えた送風用と排気用のジョイント１８に接続し、もう一端を視聴室に取り付けた投影光出力手段２の送風口１２と排気口１３にそれぞれ接続する。
さらに、投影光出力手段２から冷却風供給手段３への電力供給用電気配線５も接続する。
【００２０】
図５は、本発明のプロジェクタ装置の投影光出力手段２に備えた送風制御手段について、その制御方法をフローチャート図で示す。
ステップＳ１では、プロジェクタ装置１の電源を入れる。
ステップＳ２では、投影光出力手段２の内部で冷却風の通過経路におけるランプ６の後段に位置する温度センサ１０がランプを通過した後の冷却風の温度を検出する。
ステップＳ３では、投影光出力手段２に組み込まれた送風制御手段が、検出された温度と予め設定されたしきい値との比較を行う。しきい値とは投影光出力手段の温度センサが設置された付近でプロジェクタ装置が動作するのに最適な温度を意味する。
ステップＳ４では、比較された結果、しきい値より検出された温度が高かった場合には、冷却風供給手段２に送風用ファンモータと排気用ファンモータの動作に必要な電力の供給を開始する。
ステップＳ５では、比較された結果、しきい値より検出された温度が低かった場合には、冷却風供給手段に送風用ファンモータのと排気用ファンモータへの電力の供給を停止する。
比較された結果で、ステップＳ４又はステップＳ５を実行後は、一定時間経過後に再びステップＳ２に戻り一連の動作を繰り返す。
【００２１】
プロジェクタ装置１は、冷却風供給手段３を備えていることにより、ランプ６及び光学式エンジン８等が過熱してそれらの作動に問題が生じたり破損すると言ったことが起こらない。
しかも、投影光出力手段２から冷却風供給手段３を隔離した位置に設置し得る構成であることより、冷却風供給手段３を作動させた際に生じる冷却送風ファンモータ１９からの騒音を視聴室内において完全に遮断することが可能になっている。
又、騒音を遮断することにより騒音発生を抑える複雑な温度制御を必要としないため制御回路の簡素化ができ、その分コスト削減も可能となる。
【図面の簡単な説明】
【００２２】
【図１】本発明のプロジェクタ装置の全体構成を示す斜視図。
【図２】本発明の投影光出力手段の構造を示す一部切り欠きを含む斜視図。
【図３】本発明の冷却風供給手段の構造を示す斜視図。
【図４】本発明の冷却風供給手段の構造を示す断面図。
【図５】本発明の温度制御手段の方法を示すフローチャート図。
【符号の説明】
【００２３】
１：プロジェクタ装置
２：投影光出力手段
３：冷却風供給手段
４：通風手段
５：電力供給用電気配線
６：ランプ
７：分光器
８：光学式エンジン
９：光学レンズ
１０：投影光出力手段筐体
１１：送風口
１２：排気口
１３：ランプ用送風ガイド板
１４：光学式エンジン用送風ガイド板
１５：排気用送風ガイド板
１６：冷却風供給手段筐体
１７：ジョイント
１８：冷却送風ファンモータ
１９：L字型ダクト
２０：防塵フィルタ
２１：カバー
【図１】
2005164767.tif 000003
【図２】
2005164767.tif 000004
【図３】
2005164767.tif 000005
【図４】
2005164767.tif 000006
【図５】
2005164767.tif 000007